(57)【要約】【課題】両面回転機能で、対象範囲が広く迅速で利便性がある。長年に亘って利用できる支：年号・西暦両面回転早見盤を提供する。【解決手段】基盤と回転操作盤を同心で重ね合せ、基盤を畳み軸支材で契合し一体化。操作盤は同心円に、中心角６度の放射線状で円周を６０等分、外周欄両面に６０干支を配す。其々の干支に６０年間の年号をＡ面に、西暦をＢ面に配し、下に続く同心円に６０年間が２４段に繰り返される。つまり、平成３０（２０１８）年から推古元（５９３）年迄、１４２５年間が其々に６０干支と一致して、年号がＡ面に西暦がＢ面に表示されるのが特徴である。操作法の一部違いで横半転型［図１］〜［図８］と、縦半転型［図９］〜［図１６］があり、其々に特徴があり両方を当請求項にするものである。【選択図】図１０
2019160262.tif 000002
【特許請求の範囲】
【請求項１】
（イ）横半転型［図１］〜［図８］
折畳み、又は重ね合わせ式・角半丸型（両面窓孔付）で、基盤と操作盤を同心にして、軸支材で契合した両面回転早見盤である。折畳み部を左手で握り、右手で回転盤の年号（Ａ）面を操作する。又、握り手を右に変えて横に半転して、左手で西暦（Ｂ）面の操作をする。折り畳み、又は重ね合わせ式の基盤に、両面回転操作盤（６０干支・両面一致の同方向回転）を組み合わせた部分が私の権利です。
【請求項２】
（ロ）縦半転型［図９］〜［図１６］
折畳み、又は重ね合わせ式・角半丸型（両面窓孔付）で、基盤と操作盤の両盤を同心にして、軸支材で契合した両面回転早見盤である。折畳み部を左手で握り、右手で回転操作盤の年号（Ａ）面を操作、握り手は変えず縦に半回転して、右手で西暦（Ｂ）面の操作である。又、利手に依っては逆に右手で握り、左手で回転操作盤の年号（Ａ）面を操作する。縦に半回転して握り手の左は変えず、右手で西暦（Ｂ）面の操作である。このように利便性に富んでいる。縦半回転に伴う同方向回転方策で、両面回転操作盤（６０干支）に対して、縦半転分の３０干支（表、干支順位１甲子と裏、３１・甲午が一致）の１８０度のずれが不可欠、これを［図１０］で見ると５−ａ窓孔には年号が、５−ｂ窓孔には西暦がくる。それを［図１２］の通り縦半回転によって、握り手も見る位置も変らず、両面回転早見盤の機能を発揮する。それらを組み合わせた部分が私の権利です。
【発明の詳細な説明】
【技術分野】
【０００１】本発明は折畳み式、又は二枚合わせ式の基盤（両面窓孔付）と両面回転操作盤を同心にして重ね合わせ、軸支材で契合して一体化する。両面回転操作盤による干支：年号・西暦、両面回転早見盤に関するものである。
【背景技術】
【０００２】従来の片面回動式の干支や年齢その他の早見板及び表など、十干十二支（６０干支）を対象としたものが少ない。干支（６０干支）は基本となる最も大切なものであり、６０年間で繰り返される事に着眼したものである。【０００３】従来の年代表などは、本の頁を縦長に三分割し横並びに干支・年号・西暦を配し、縦列に其々の該当年が割り振られている。例えば干支・年号・西暦を、１頁に３列×４０年＝１２０年分位で表されている。当両面操作盤での対象表示は干支を基にして、表（Ａ）面は年号、裏（Ｂ）面が西暦である。平成３０（２０１８）年を起点年に、推古元（５９３）年までの１，４２５年間である。前述の年代表で勘案すれば頁数は１２頁程である。又、歴史便利手帳など小型では２８頁程で表されている。
【先行技術文献】
【特許文献】
【０００４】
【特許文献１】特開２０００−３０５６５１
【発明の概要】
【発明が解決しようとする課題】
【０００５】これは次のような欠点があった。
（イ）従来の回動板や早見表などは片面である為に、対象範囲が狭く利便性に欠ける。
（ロ）歴史関係の本や手帳での年代表は、頁数が多くなればなる程に使い難い。年代表関連の多頁数を捲る回数も増えて、該当項目を探し求める調べものに対して困難が伴う。更に迅速・正確性に難儀し時間的損失が大きい。
（ハ）冊子損耗などに繋がる。
本発明の両面回転早見盤は、以上のような欠点を無くす為に成されたものである。
【課題を解決するための手段】
【０００６】（イ）当両面回転早見盤は折畳み（又は重ね合わせ）式の基盤（両面窓孔付）角丸型で、基盤と操作盤（厚紙又はアクリル板製など）の組み合わせである。基盤と操作盤を同心にして重ね合わせて畳み、軸支材で契合して一体化した両面回転早見盤である。シンプルな構造で扱い易い。
（ロ）操作盤は、同心円に中心角６度の放射線状で円周３６０度を６０等分。外周欄の両面に６０干支（順位１甲子〜６０癸委）を配する。続く内段の同心円に平成３０（２０１８）年（干支順位３５・戊戌）を起点年として、昭和３４（１９５９）年（干支順位３６・己亥）まで６０年間の年号と西暦を配する。其々の干支に該当する６０年間の年号を回転操作盤のＡ面に、西暦を回転操作盤のＢ面に配する。続く同心円に次の６０年間の年号と西暦が、２４段に繰返される。つまり平成３０（２０１８）年から推古元（５９３）年まで、１４２５年間の其々の干支と年号、干支と西暦が一致する。
（ハ）操作盤面は年号が回転操作盤Ａ面に対し西暦は回転操作盤Ｂ面の裏面であり、表裏一体の同方向回転が不可欠である。それに対応する印刷したフィルム貼着や直接印刷等で解決を図る。
（ニ）年号がＡ面、西暦がＢ面に表示される。其々の干支と年号、干支と西暦がＡ面、Ｂ面に表される。更に、外周欄６０干支の其々の縦列には、当該の年号と西暦が６０年置き２４段に表され歴史的な発見もある。以上の構成からなる干支：年号・西暦両面回転早見盤である。
【発明の効果】
【０００７】（イ）干支・年号・西暦の何れか一つが判り、それを基盤の窓孔（５−ａ又は５−ｂ）に操作盤で合わせると、他二つの早見が即可能である。年齢早見も可能である、例えば６０干支の干支順位１甲子〜６０葵亥まで両面の外周欄にある、一周６０年である。誕生年と当該年の干支順位数の差引計算で年齢早見が可能である。当該年の誕生日が過ぎた人は満年齢であり、未だの人は満年齢から１を差引く。又、６０歳以上の人は其々の数値に６０を加えればよい。
（ロ）其々の干支の段列に年号がＡ面（記号５−ａ）に、西暦がＢ面（記号５−ｂ）に配される。６０干支其々の下段列に、６０年おきの年号・西暦が表示される。例えば、干支によって革命の起こり易い辛酉の年（５８・辛酉）、制度の改まる甲子の年（１・甲子）とか一見何の法則もない偶発的出来事のようだが、該年の干支欄を縦列（５−ａ）に見ると歴史が一定周期で繰り返されている事（改・元年が多い）等も発見できる。以上の様な構成からなる干支：年号・西暦に加え様々な歴史的な発見も可能である。
（ハ）我が国において様々な記念や行事など、年号で覚えるのが一般的な習慣である。依って基盤の年号（Ａ）面の窓孔（記号６−ａ）は、当早見盤を利用される個人・家族の
2019160262.tif 000003
な記念日等を記した操作盤の欄を見られる。団体及び企業等でもこれに習い当然利用可能である。１周６０年分である。又、西暦Ｂ面の欄（記号６−ｂ）には、回転操作盤を回せば十干十二支の６０干支が、十干の六角形と十二支の五角形の組み合わせで、６０干支の組み方が見られる機能である。
【図面の簡単な説明】
【０００８】（イ）横半転型
【図１】横半転型・折畳み又は重ね合わせ式基盤（両面窓孔付）の斜視図である。
【図２】図１の基盤と操作盤の分解斜視図である。
【図３】図１の基盤に操作盤を組み合わせた斜視図である。
【図４】角丸型両面回転早見盤と横半転式の斜視図（点線）である。
【図５】年号（Ａ）面の操作盤の詳細図である。
【図６】西暦（Ｂ）面の操作盤の詳細図である。
【図７】年号（Ａ）面の操作盤を組み込んだ、回転早見盤の詳細図である。
【図８】西暦（Ｂ）面の操作盤を組み込んだ、回転早見盤の詳細図である。（ロ）縦半転型
【図９】縦半転型・折畳み又は重ね合わせ式基盤（両面窓孔付）斜視図である。
【図１０】図９の基盤と回転操作盤の分解斜視図である。
【図１１】図９の基盤に操作盤を組み込んだ斜視図である。
【図１２】角丸型両面回転早見盤と縦半転式の斜視図（点線）である。
【図１３】年号（Ａ）面の操作盤の詳細図である。
【図１４】西暦（Ｂ）面の操作盤の詳細図である。
【図１５】年号（Ａ）面の操作盤を組み込んだ、回転早見盤の詳細図である。
【図１６】西暦（Ｂ）面の操作盤を組み込んだ、回転早見盤の詳細図である。
【発明を実施するための形態】
【０００９】以下、本発明を実施するための形態について説明する。
（イ）当両面回転早見盤は、折畳み又は重ね合わせ式・角丸型（両面窓孔付）で、基盤（記号１）と回転操作盤（記号２）（厚紙又はアクリル板他）の組み合わせである。基盤と操作盤を同心にして重ね合わせ、基盤を畳み又は重ね合わせて軸支材で契合し一体化。操作盤により基盤の窓孔（記号５−ａ）（記号５−ｂ）から、迅速且つ正確に確認できる。干支：年号・西暦両面回転早見盤である。
（ロ）干支は基本となる最も大切なもので、６０年間で繰り返される事に着眼。操作盤は目的に沿った同心円に、中心角６度の放射線状で円周３６０度を６０等分。その外周欄両面に６０干支を配し、続く同心円と放射状線に囲まれた横並び欄（一段目）に、平成３０（２０１８）年（干支順位、３５戊戌）の起点から、昭和３４（１９５９）年（干支順位、３６己亥）までの６０年間の年号をＡ面に、西暦をＢ面に配する。
（ハ）更に、下段に続く同心円には６０年間が２４回繰り返され、推古元（５９３）年が終年である。１４２５年間が其々に干支と一致して、年号がＡ面に西暦がＢ面に。つまり、其々の干支と年号・西暦が両面に表される。
更に、同心円中心角６度の放射線状の外周欄６０干支の、其々の縦列には当該の年号と西暦が表せられる。操作盤の文字は直接印刷するか、又は、印刷したフィルム類等を貼着して、文字盤面とする。但し、操作盤は同心円で表・裏に成る為に、年号（Ａ）面は時計と同回りの文字版に対し、西暦（Ｂ）面は時計と逆回りの文字版作成が不可欠である。（［図５］と［図６］、［図１３］と［図１４］参照）。要するに表裏一体（表裏貼り合わせる為）で同方向回転が絶対条件である。
（ニ）基盤と操作盤は同心円で年号と西暦が表裏で、軸支材で契合して文字版の表裏一体で、同方向回転がポイントである。
（ホ）回転操作盤による両面回転早見盤の使用方法を考察する。
▲１▼、横半転型の回転早見盤の折畳み部を左手で持ち、右手で回転盤の年号（Ａ）面を操作する。握り手を右に持ち替え、横に半回転して左手で西暦（Ｂ）面の操作である。［図４］参照。
▲２▼、縦半転型の回転早見盤の折畳み部を左手で持ち、右手で回転盤の西暦（Ｂ）面を操作する。握り手の左は変えず、縦に半回転して年号（Ａ）面を右手で操作である。［図１２］参照。
（ヘ）依って、前記▲１▼の回転操作盤は（ニ）項の要件を具備し、同心として年号（Ａ）面の干支文字面に対しＢ面の干支文字面は完全一致（３６０度）である事が不可欠である。
（ニ）前記▲２▼の回転操作盤は（ニ）項の要件を具備し、同心で年号（Ａ）面は（干支順位、１甲子）の文字面盤に対しＢ面は（干支順位、３１甲午）と合致させる、即ち縦に１８０度の半転の為に干支順位３０（３１甲午−１甲子＝３０）をずらす事が条件とされる。
（ト）操作盤は使い易いように、数段置きに色分けする。前記実施形態に示すものに限らず、目的、用途などに応じて本発明の範囲で、様々の変更ができる。基盤、操作盤、軸支部材などの大きさ、形態等は用途に合わせて適宜選択変更できる。
【符号の説明】
【０００１０】１      基盤
２      回転操作盤
３      支軸材
４      中心
１−ａ  基盤Ａ面
１−ｂ  基盤Ｂ面
２−ａ  回転操作盤Ａ面
２−ｂ  回転操作盤Ｂ面
５−ａ  窓孔Ａ面
５−ｂ  窓孔Ｂ面
６−ａ  窓孔Ａ面
６−ｂ  窓孔Ｂ面
７−ａ  説明表示Ａ面
７−ｂ  説明表示Ｂ面
０−１  ６０干支順位番号
０−２  干支名
０−３  干支音読み
０−４  干支訓読み（日本語）
【図１】
2019160262.tif 000004
【図２】
2019160262.tif 000005
【図３】
2019160262.tif 000006
【図４】
2019160262.tif 000007
【図５】
2019160262.tif 000008
【図６】
2019160262.tif 000009
【図７】
2019160262.tif 000010
【図８】
2019160262.tif 000011
【図９】
2019160262.tif 000012
【図１０】
2019160262.tif 000013
【図１１】
2019160262.tif 000014
【図１２】
2019160262.tif 000015
【図１３】
2019160262.tif 000016
【図１４】
2019160262.tif 000017
【図１５】
2019160262.tif 000018
【図１６】
2019160262.tif 000019
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
折り畳み式、又は重ね合わせ式の両面窓孔付の基盤と、操作盤とを同心にして、軸支材で契合した横半転型の両面回転早見盤であって、操作盤のＡ面に干支および一以上の年号を、操作盤のＢ面に干支および一以上の西暦を配し、基盤と操作盤（６０干支・両面一致の同方向回転）を組み合わせて、両面回転早見盤を横反転した際に、基盤のＡ面の窓孔には干支および一以上の年号が、基盤のＢ面の窓孔には干支および一以上の西暦が、両面一致して表されるように構成した横半転型の両面回転早見盤。
【請求項２】
折り畳み式、又は重ね合わせ式の両面窓孔付の基盤と、操作盤とを同心にして、軸支材で契合した縦反転型の両面回転早見盤であって、操作盤のＡ面に干支および一以上の年号を、操作盤のＢ面に干支および一以上の西暦を配し、縦半回転に伴う同方向回転方策で、操作盤（６０干支）のＡ面とＢ面とは、縦半転分である３０干支分の１８０度のずれを有し、両面回転早見盤を縦反転した際に、基盤のＡ面の窓孔には干支および一以上の年号が、基盤のＢ面の窓孔には干支および一以上の西暦が、両面一致して表されるように構成した縦半転型の両面回転早見盤。